(57)【要約】  コンテンツ記録装置（１４）は、携帯通信装置（１２）と通信可能な無線通信インタフェース（１６）を含む。携帯通信装置（１２）は、コンテンツ記録装置（１４）とデータ交換し制御するためのアプリケーションプログラム（５８）を含む。携帯通信装置（１２）は、コンテンツ記録装置（１４）を制御でき、携帯通信装置（１２）での再生のためにコンテンツ記録装置（１４）から前もって記録されたコンテンツを受信できる。携帯通信装置（１２）およびコンテンツ記録装置（１４）は、コンテンツ記録装置（１４）に対する単一のモバイルインタフェースを提供するために相互作用する。
2009522924.tif 000002
【特許請求の範囲】
【請求項１】
コンテンツ記録装置（１４）であって、
コンテンツプロバイダ（１８）からコンテンツ番組信号を受信するチューナ（２２）と、
前記コンテンツ番組信号を第１のデータフォーマットに符号化するエンコーダ（２４）と、
前記符号化されたコンテンツ番組データを格納する記憶装置（２６）と、
前記符号化されたコンテンツ番組データを、携帯通信装置（１２）への転送および映像再生に適した第２のフォーマットに変換可能なトランスコーダ回路（３２）と、
を含むことを特徴とするコンテンツ記録装置（１４）。
【請求項２】
前記変換されたコンテンツ番組データを携帯通信装置（１２）へ転送可能な通信インタフェース（１６）をさらに含むことを特徴とする請求項１または２に記載のコンテンツ記録装置（１４）。
【請求項３】
前記コンテンツ番組データのコピーが前記コンテンツ記録装置（１４）と前記携帯通信装置（１２）とに同時に格納されることを防止するよう動作可能なデバイス（２７）をさらに含むことを特徴とする請求項１または請求項２に記載のコンテンツ記録装置（１４）。
【請求項４】
前記通信インタフェース（１６）は、無線通信インタフェースであることを特徴とする請求項２または３に記載のコンテンツ記録装置（１４）。
【請求項５】
前記無線通信インタフェース（１６）は、短距離無線周波数通信インタフェース（８０）またはブルートゥース通信インタフェースであることを特徴とする請求項４に記載のコンテンツ記録装置。
【請求項６】
前記コンテンツ記録装置（１４）はパーソナルビデオレコーダ（ＰＶＲ）であり、前記携帯通信装置（１２）は携帯電話であることを特徴とする請求項１乃至５の何れか一項に記載のコンテンツ記録装置（１４）。
【請求項７】
コンピュータ可読記録媒体（５２）に格納されたプログラム（５８）であって、前記プログラム（５８）は携帯通信装置（１２）での使用に適しており、前記プログラム（５８）は前記携帯通信装置（１２）のメモリ（５２）にロードされ実行されることにより、前記携帯通信装置（１２）に、
前記携帯通信装置（１２）での再生のためにコンテンツ記録装置（１４）から番組コンテンツデータを受信（１４０）させることを特徴とするプログラム（５８）。
【請求項８】
前記プログラム（５８）は、前記携帯通信装置（１２）に前記番組コンテンツデータを前記コンテンツ記録装置（１４）へ返送（１５０）させることを特徴とする請求項７に記載のプログラム（５８）。
【請求項９】
携帯通信装置（１２）であって、
メモリ（５２）と、前記メモリ（５２）に格納された請求項７または８に記載のアプリケーションプログラム（５８）を実行するプロセッサ（５０）と、を含み、前記アプリケーションプログラム（５８）は、前記携帯通信装置（１２）が該携帯通信装置（１２）のディスプレイ（６２）に番組コンテンツデータを表示（１４５）させることを特徴とする携帯通信装置（１２）。
【請求項１０】
コンテンツ記録装置（１４）に記録された番組を遠隔で見る方法であって、
記録された番組の番組データ表現を携帯通信装置（１２）への転送および映像再生に適したデータフォーマットに変換（１１５）するステップと、
視聴のための携帯通信装置（１２）に変換された番組を転送（１２０）するステップと、
を含む方法。
【発明の詳細な説明】
【技術分野】
【０００１】
本発明は一般的には携帯通信装置に関し、特に、コンテンツ記録装置とデータおよびコンテンツの交換が可能な携帯通信装置に関するものである。
【背景技術】
【０００２】
近年、携帯通信装置（例えば携帯電話、パーソナル携帯情報機器、移動端末、その他）は、人気があり成長し続けている。携帯通信装置の人気が成長し続けるにつれ、携帯電話およびネットワークが音声サービスを超えたサービスを提供するために強化されたように今日の無線の状況は急速に変化している。無線産業において、移動データサービスが急増している。移動データサービスの展開は、携帯通信装置のユーザからの需要と同様に連続する技術的発達によって推進されている。携帯通信装置は、強力な通信およびデータサービスのツールとしての能力によりユーザに訴求されている。携帯通信装置の多くのユーザにおけるますます忙しい生活様式により、時間の効率的利用に重きを置いている。
【０００３】
同様に、近年、コンテンツ記録装置（例えばパーソナルビデオレコーダ（ＰＶＲ）、オーディオおよびデジタル記録装置など）も、人気があり成長している。それらの柔軟性、高機能性および使いやすさのため、ＰＶＲは、家庭においてテレビ番組を録画するための主要な手段であるＶＣＲの代替として利用されている。ＰＶＲおよび他のデジタル記録装置は、一般的に、放送、ケーブルまたは衛星を介して受信されるテレビコンテンツをデジタル的に記録する。
【０００４】
ＰＶＲは、一般的に、コンテンツのデジタル記録および他の機能を制御するために強力なマイクロプロセッサを使用している。ＰＶＲおよび他のデジタル記録装置により実現される精巧な処理により、消費者は、彼らが好むテレビやビデオ番組の視聴により時間を費やし、整理や彼らが好まないテレビやビデオ番組の視聴により時間を費やさないことが出来る。
【０００５】
ＰＶＲは消費者がテレビを視聴する方法を急進的に変えたが、いまだ消費者によるＰＶＲの制御および／またはＰＶＲから離れているときのＰＶＲに記録されたコンテンツの享受には限界が存在する。
【発明の開示】
【発明が解決しようとする課題】
【０００６】
上述した観点から、付加的な移動データサービス、および、コンテンツ記録装置とのデータ交換およびコンテンツ記録装置の制御を容易にするアプリケーションプログラムなどの付加的な移動データサービスを提供するためのアプリケーションプログラムに対するニーズがある。さらに、携帯通信装置とのデータ交換および携帯通信装置による制御が可能なコンテンツ記録装置に対するニーズがある。
【課題を解決するための手段】
【０００７】
本発明の一態様は、コンテンツ記録装置に関するものであり、コンテンツ記録装置は、コンテンツプロバイダからコンテンツ番組信号を受信するチューナと、前記コンテンツ番組信号を第１のデータフォーマットに符号化するエンコーダと、前記符号化されたコンテンツ番組データを格納する記憶装置と、前記符号化されたコンテンツ番組データを、携帯通信装置への転送および映像再生に適した第２のフォーマットに変換可能なトランスコーダ回路と、を含む。
【０００８】
他の態様によれば、前記コンテンツ記録装置は、前記変換されたコンテンツ番組データを携帯通信装置へ転送可能な通信インタフェースを含む。
【０００９】
他の態様によれば、前記コンテンツ記録装置は、前記コンテンツ番組データのコピーが前記コンテンツ記録装置と前記携帯通信装置とに同時に格納されることを防止するよう動作可能なデバイスを含む。
【００１０】
他の態様によれば、前記通信インタフェースは、無線通信インタフェースである。
【００１１】
他の態様によれば、前記無線通信インタフェースは、短距離無線周波数通信インタフェースである。
【００１２】
他の態様によれば、前記無線通信インタフェースは、ブルートゥース通信インタフェースである。
【００１３】
他の態様によれば、前記無線通信インタフェースは、移動ネットワークを介して携帯電話と通信可能な移動通信グローバルシステム（ＧＳＭ）インタフェースである。
【００１４】
他の態様によれば、前記コンテンツ記録装置は、パーソナルビデオレコーダ（ＰＶＲ）である。
【００１５】
他の態様によれば、前記携帯通信装置は、携帯電話である。
【００１６】
他の態様によれば、通信システムは、上述の前記コンテンツ記録装置および携帯電話を含む。
【００１７】
本発明の別の態様は、コンピュータ可読記録媒体に格納されたプログラムであって、前記プログラムは携帯通信装置での使用に適しており、前記プログラムは前記携帯通信装置のメモリにロードされ実行されることにより、前記携帯通信装置に、前記携帯通信装置での再生のためにコンテンツ記録装置から番組コンテンツデータを受信させる。
【００１８】
他の態様によれば、前記プログラムは、前記携帯通信装置に前記番組コンテンツデータを前記コンテンツ記録装置へ返送させる。
【００１９】
他の態様によれば、前記プログラムは、前記携帯通信装置に電子番組ガイド（ＥＰＧ）を受信させ、前記ＥＰＧを表示させ、コンテンツ選択コマンドを前記コンテンツ記録装置へ送信させる。該コンテンツ選択コマンドは、前記コンテンツ記録装置に選択されたコンテンツ番組の記録を指示する。
【００２０】
他の態様によれば、前記プログラムは、前記携帯通信装置に遠隔制御信号を前記コンテンツ記録装置へ送信させる。
【００２１】
他の態様によれば、前記コンテンツ記録装置はパーソナルビデオレコーダ（ＰＶＲ）であり、前記携帯通信装置は携帯電話である。
【００２２】
本発明の別の態様は、携帯通信装置に関するものであり、携帯通信装置は、メモリと、前記メモリ内のアプリケーションプログラムを実行するプロセッサと、を含む。前記アプリケーションプログラムは、実行されることにより、前記携帯通信装置に、該携帯通信装置での再生のためにコンテンツ記録装置から番組コンテンツデータを受信させ、該携帯通信装置のディスプレイに番組コンテンツデータを表示させる。
【００２３】
本発明の別の態様は、コンテンツ記録装置に記録された番組を遠隔で視聴する方法に関するものであり、該方法は、番組データを携帯通信装置への転送および映像再生に適したデータフォーマットに変換するステップと、変換された番組を視聴のための携帯通信装置に転送するステップと、を含む。
【００２４】
他の態様によれば、前記コンテンツ記録装置はパーソナルビデオレコーダ（ＰＶＲ）であり、前記携帯通信装置は携帯電話である。
【００２５】
本発明の別の態様は、携帯通信装置を使用してコンテンツ記録装置を遠隔で制御する方法に関するものであり、該方法は、コンテンツプロバイダにコンテンツ選択コマンドを送信するステップと、前記コンテンツプロバイダが前記コンテンツ記録装置に選択された番組を記録するよう指示するステップと、を含む。
【００２６】
他の態様によれば、前記コンテンツ選択コマンドは、移動ネットワークを介して送信される。
【００２７】
本発明の別の態様は、デジタルビデオ記録装置に関するものであり、デジタルビデオ記録装置は、デジタル番組をデータを受信し第１のフォーマットで格納可能なデバイスと、前記デジタル番組データを携帯通信装置への転送および映像再生に適した第２のフォーマットに変換可能なデバイスと、を含む。
【００２８】
他の態様によれば、前記デジタル記録装置は、変換されたデジタル番組データを携帯通信装置へ送信可能なデバイスを含む。
【００２９】
本発明のこれらおよび更なる特徴は、以下の明細書および添付の図面により明らかになるであろう。明細書および図面において、本発明の実施形態が詳細に開示され、本発明の原理が適用され得るいくつかの方法が示唆されるが、本発明は対応する範囲に制限されることは無いことが理解される。むしろ、本発明は、添付の請求項における意図および用語の範囲内にある、様々な変化、変更および等価物を含む。
【００３０】
一実施形態に対して記載されおよび／または例示される特徴は、１以上の他の実施形態および／または他の実施形態の特徴との結合または代替において同一または類似の方法により用いられる。
【００３１】
本明細書において、用語”含む／含んでいる”が述べられた特徴、数値、ステップ、構成要素の存在を特定するために用いられる場合、１以上の他の特徴、数値、ステップ、構成要素またはそれらのグループの存在または追加を排除するものではないことは強調されるべきである。
【発明を実施するための最良の形態】
【００３２】
本発明の多くの態様は、以下の図面を参照してよりよく理解され得る。図中の要素は一定の縮尺である必要性は無く、本発明の原理が明確に示されるように強調されている。同様に、ある図面に示される要素および特徴は、付加的な図面に示される要素および特徴と結合され得る。さらに、図面において、類似の参照番号はいくつかの図にわたって対応するパーツを示している。
【００３３】
以下の詳細な説明において、本発明の種々の実施形態において示されるか否かに関係なく類似の構成要素には同一の参照番号が付される。明瞭かつ簡潔な方法で本発明を例示するため、図面は必ずしも一定の縮尺ではなく、特定の特徴はいくらか模式的な形態で示され得る。
【００３４】
本明細書で用いられている用語”コンテンツ記録装置”は、デジタル記録装置を含む。用語”デジタル記録装置”は、デジタルオーディオレコーダおよびデジタルビデオレコーダを含んでおり、パーソナルビデオレコーダ（ＰＶＲ）、パーソナルオーディオレコーダ、および、デジタルコンテンツあるいはマイクロプロセッサにより操作されあるいは処理され得るフォーマットのコンテンツを記録可能な他の装置を含むがこれらに限定されることはない。
【００３５】
さらに、本明細書で用いられている用語”携帯通信装置”は、携帯無線通信装置を含む。用語”携帯無線通信装置”を、以下では、携帯電話、携帯装置、移動無線端末、または、移動端末と呼び、携帯電話、ページャ、コミュニケータ（すなわち電子オーガナイザ）、スマートフォン、パーソナルデジタルアシスタント（ＰＤＡ）または同様のものを含むすべての電子装置を含むがこれらに限定されることはない。本発明は携帯通信装置に関して述べられているが、本発明は携帯通信装置に限定されることを意図するものではなく、音声および／またはデータ通信に使用可能な電子機器の任意のものに適用され得る。
【００３６】
最初に図１を参照すると、通信システム１０は、例えば携帯電話、移動端末等の携帯通信装置１２と、例えば個人ビデオレコーダ（ＰＶＲ）等のコンテンツ記録装置１４とを含む。更に以下で詳述するように、コンテンツ記録装置１４は、携帯通信装置１２とコンテンツ記録装置１４との間のデータ交換および携帯通信装置１２によるコンテンツ記録装置１４の制御を可能とする無線通信インタフェース１６を含む。あるいは、有線接続を介して携帯通信装置１２（例えば、コンテンツ記録装置と有線接続されたクレイドルに設置された携帯通信装置）は、コンテンツ記録装置１４とのデータ交換および／またはコンテンツ記録装置１４の制御の動作が可能である。図示するように、システム１０は、コンテンツプロバイダ１８（例えば音声コンテンツ、ビデオ・コンテンツなどのプロバイダ）を含む。後述するように、携帯通信装置１２とコンテンツ記録装置１４とは任意の適切な無線メディア２０を介して通信および／またはデータ交換がするよう動作可能である。
【００３７】
図２は、本発明の例示的実施形態に係るコンテンツ記録装置１４の機能ブロック図を表す。図示するように、コンテンツ記録装置は、チューナ２２、データエンコーダ２４、デジタル権利管理（ＤＲＭ）モジュール２７を内部に含むデータ記憶装置２６、プロセッサ２８、コマンド受信器３０、データトランスコーダ３２、適切なアンテナ３４に接続された無線通信インタフェース１６を含む。上述の構成要素は全て、直接または間接的にバス３６または他の適切なリンクデバイスに接続される。
【００３８】
コンテンツ記録装置１４（例えばパーソナルビデオレコーダ（ＰＶＲ））は、コンテンツプロバイダ１８（例えば、衛星受信機、ケーブルプロバイダまたは他の適切なコンテンツ（例えばビデオ番組）のプロバイダ）から、ソース信号を受信する。プロセッサ２８は、コンテンツ記録装置１４の全ての動作を制御する。プロセッサ２８は、任意の市販のまたはカスタムメイドのマイクロプロセッサあるいは他のデバイス（例えばコンテンツ記録装置の機能を実現可能な他の適切な電気または電子回路装置）で有り得る。
【００３９】
プロセッサ２８の制御下で、チューナ２２はコンテンツ・ソース信号を受信し、データエンコーダ２４を用いてそれを圧縮または最適に処理する。データエンコーダ２４は、受信したデータ信号を、ＭＰＥＧ、ＭＰＥＧ−２、ＭＰＥＧ−４、ＢＶ等を含むがこれらに限定されない適切なフォーマットに圧縮または他の処理を行う。エンコードまたはそれ以外の圧縮データ・ファイルはデータ記憶装置２６に格納され、それはコンテンツ記録装置１４により読み取り可能な１以上の任意の媒体で有り得、例えばハードディスク記憶装置またはランダムアクセスメモリ（ＲＡＭ）のような任意の揮発性または不揮発性の大容量記憶装置で有り得る。当業者はデータ記憶装置２６が、コンテンツデータ、イベントデータ、インデックスデータおよび／またはコンピュータ可読指示を含む多くの種類のデータを格納できると認めるであろう。更に以下で詳述するように、コンテンツ記録装置は、ユーザ視聴のために提供される番組の多重コピーを防止するためにＤＲＭモジュール２７を含む。これは本明細書において、”チェックイン／チェックアウト”機能とも呼ぶ。
【００４０】
コンテンツデータは、受信されたコンテンツまたは番組信号に含まれあるいは表現されるコンテンツの記録を含んでいる適切なフォーマットにエンコードされたビデオファイルを規定している。他の形式のビデオ・フォーマットも、本発明の範囲内において使用され得る。
【００４１】
コンテンツ記録装置１４は、アンテナ３４または他の適切な信号受信素子に接続される無線通信インタフェース１６を含む。無線通信インタフェース１６は、例えば携帯電話、移動端末等の携帯通信装置との通信に適した任意の通信インタフェースを含み得る。一実施形態において、無線通信インタフェース１６はアンテナ３４を使用する例えばブルートゥース・インタフェース等の短距離無線周波数（ＲＦ）インタフェースである。ブルートゥースは、２．４５ＧＨｚ周波数バンドのユニバーサル無線インタフェースであり、携帯電子装置が短距離アドホックネットワークを介して無線で接続し通信することを可能にする。当業者はブルートゥース無線通信インタフェースの基本動作を理解するので、説明を簡潔にするために詳細はここで記載しない。
【００４２】
本発明の態様において、短距離ＲＦインタフェース（例えばブルートゥース・インタフェース）に関して記載されているが、無線通信インタフェースは任意の適切な通信インタフェース、例えばショート・メッセージ・サービス（ＳＭＳ）通信を受信可能なＧＳＭインタフェースモジュールまたは他の”エアを介した”通信インタフェースを含み得る。ＧＳＭインタフェースモジュールまたは他の”エアを介した”通信インタフェースを使用することにより、ユーザは、彼／彼女が記録した番組にアクセスし、モバイルサービスが利用可能な任意の場所でコンテンツ記録装置を制御することが出来る。更に、無線通信インタフェースは、例えば、赤外線、無線周波数など短距離の他の適切な無線メディア２０を介して通信し得る。当業者は、本発明の範囲内においてコンテンツ記録装置１４が、任意の適切な通信インタフェースあるいは他の任意のネットワーク接続モジュールを含み得ることを認めるであろう。
【００４３】
以下で詳述するように、携帯通信装置１２と通信可能な無線通信インタフェース１６の存在により、コンテンツ記録装置１４および携帯通信装置１２を用いた多くのデータ交換および／または制御アプリケーションを提供することが出来る。コンテンツ記録装置１４は、携帯通信装置１２からユーザコマンドを受信し処理するコマンド受信回路３０を含み、携帯通信装置はリモート・コントローラとして機能することができる。
【００４４】
例えばリモート・コントローラとして携帯通信装置１２を使用するユーザの要請により記録されたテレビまたはビデオ番組、および、コンテンツ記録装置１４のプロセッサ２８および他の構成要素により生成されるユーザインタフェースは、携帯通信装置１２を介したユーザコマンドにより例えばディスプレイ４０上に再生される。ディスプレイは、任意の適切な表示装置（例えば一般的なテレビまたはビデオモニタ）でも有り得る。
【００４５】
好ましい実施形態では、コンテンツ記録装置１４は無線通信インタフェース１６（または、いくつかの他の通信インタフェース）を介して記録されたコンテンツ（例えば蓄積されたテレビまたはビデオ番組）を携帯通信装置１２へ転送する。そうすることにより、番組はユーザによるその後の表示または再生のための携帯通信装置１２に格納される。携帯通信装置１２へのコンテンツの転送を達成するために、コンテンツ記録装置１４は、データトランスコーダ回路３２を含む。データトランスコーダ回路３２は、好適にはコンテンツ記録装置内のアプリケーションソフトウェアとして実装され、蓄積されたソース信号のデータフォーマット（例えばＭＰＥＧフォーマットまたは他の適切なフォーマット）を、携帯通信装置上でのビデオ再生に適したフォーマット（例えばＨ．２６４フォーマットまたは他の適切なフォーマット）にトランスコード、デコード、または他の変換を行なう。
【００４６】
図３は、本発明の携帯通信装置１２の機能ブロック図を表す。携帯通信装置１２は、携帯通信装置１２全体の動作を制御するためのプロセッサ５０を含む。プロセッサ５０は、任意の市販のまたはカスタムメイドのマイクロプロセッサあるいは他の適切なデバイスで有り得る。メモリ５２は、格納制御プログラムおよび携帯通信装置に使用されるデータのために、プロセッサ５０に動作可能に接続されている。メモリ５２は、本発明の態様に係る携帯通信装置の機能を実現するために用いられるソフトウェアおよびデータを含むメモリデバイスの全体の階層を示している。
【００４７】
図示した実施形態では、メモリ５２は、デバイスドライバ５４（例えばＩ／Ｏデバイスドライバ）、本発明に係るコンテンツ記録装置（ＣＲＤ）アプリケーションプログラム５８を含む一般に参照符号５６によって示されるアプリケーションプログラム、コンテンツ記録装置から受信されるコンテンツ番組データを含むアプリケーションプログラムデータ６０をを格納する。ディスプレイ、他のＩ／Ｏポート、コンテンツ記録装置のような装置と通信するため、Ｉ／Ｏデバイスドライバは、ＣＲＤアプリケーションプログラム５８を含むアプリケーションプログラム５６によってプロセッサ５０（または、メモリ５２（不図示）に格納されるオペレーティングシステム）を介してアクセスされるソフトウェアルーチンを含む。
【００４８】
ＣＲＤアプリケーションプログラム５８を含むアプリケーションプログラム５６は、携帯通信装置１２のさまざまな特徴を実装したプログラム、例えば電子メール、インターネットアクセス、コンタクトマネージャなど、を含む。以下で詳細に述べるように、ＣＲＤアプリケーションプログラム５８は、コンテンツ記録装置１４を制御し、予め記録されたビデオプログラムの受信などのデータを交換し、携帯通信装置１２のディスプレイ６２上での表示または再生するための１以上のプログラムを含む。
【００４９】
コンピュータプログラムおよび携帯電話のアプリケーションプログラムの当業者は、本願明細書において提供される説明により、本願明細書においてコンテンツ記録装置（ＣＲＤ）アプリケーションプログラム５８に関して記載されている機能を携帯電話に動作させ実行するようにプログラミングすることが出来るであろう。したがって、説明を簡単にするために特有のプログラムコードに関する詳細はここで省略している。また、コンテンツ記録装置の制御およびデータ交換の機能は、本発明の態様に従てｔプロセッサ５０およびメモリ５２内のＣＲＤアプリケーションプログラム５８により実現され、この種の機能は、また、本発明の範囲内において専用ハードウエア、ファームウェア、ソフトウェアまたはそれらの組合せにより実現されても良い。
【００５０】
続いて図３を参照すると、プロセッサ５０はディスプレイ６２、キーパッド６４、送信部／受信部６６（送受信部とも称する）、デジタルシグナルプロセッサ（ＤＳＰ）６８（オプション）のような音声処理回路とインタフェースする。キーパッド６４およびディスプレイ６２は、ユーザが携帯通信装置と相互作用可能なユーザインタフェースを提供する。キーパッド６４は、ユーザが、番号をダイヤルし、コマンドおよびデータを入力し、オプションを選択することを可能にする。ディスプレイ６２は、ユーザが、例えばダイヤルした番号、格納された情報、ＣＲＤアプリケーションプログラム５８を含む様々なアプリケーションからの出力などの各種情報を見ることを可能にする。
【００５１】
従来と同様に、アンテナ７２を介して信号を送受信器６６が送受信するように、アンテナ７２は送受信部６６に接続される。携帯通信装置１２は、送受信器６６により送信され受信される音声信号を処理するための音声処理回路６８を含む。スピーカ７４およびマイクロホン７６は、音声処理回路６８に接続し、ユーザが携帯通信装置を介して聞きおよび話すことを可能にする。また、携帯通信装置は、コンテンツ記録装置内の対応する通信インタフェースと通信のための、適切なアンテナ８２と接続した短距離ＲＦ通信インタフェース（例えばブルートゥースインタフェース）のような別の通信インタフェース８０を含み得る。
【００５２】
説明を簡単にするために、図４および図５のフローチャートは、一連のステップまたは機能ブロックを含み、それぞれ、コンテンツ記録装置および携帯通信装置の関連する動作の１以上の態様を示している。そして、本発明の態様は、ステップまたは機能ブロックの順序は限定するものではなく、本発明に従って、図示し本明細書で説明したいくつかのステップまたは機能ブロックは、異なる順序および／または他のステップまたは機能ブロックと同時に実行される。さらに、関連した動作の態様の、図示した全てのステップまたは機能ブロックが本発明の方法を実装するのに必要というわけでない。さらにまた、関連した動作の態様の、追加ステップまたは機能ブロックが、本発明の範囲内で追加され得る。
【００５３】
ここで図４を参照し、コンテンツ記録装置１４と携帯通信装置１２との間のデータ交換の方法を含むコンテンツ記録装置１４の関連動作を、コンテンツ記録装置の観点から述べる。図１〜図３に関して述べたように、コンテンツ記録装置１４が携帯通信装置１２と通信またはデータ交換可能なようにコンテンツ記録装置１４は無線通信インタフェース１６を備えている。逆にいえば、携帯通信装置１２は、コンテンツ記録装置１４と通信またはデータ交換可能なように適切なアプリケーションプログラムおよび通信インタフェースを含む。上述のように、本発明は、特定の種類の通信インタフェースに限定されない。事実、本発明の範囲内において、ビデオ番組データは有線接続を介してコンテンツ記録装置１４から携帯通信装置１２に移動され得る。
【００５４】
機能ブロック１００では、適切な通信インタフェースを使用して電子番組ガイド（ＥＰＧ）がコンテンツ記録装置１４から携帯通信装置１２まで送信され得る。ＥＰＧは、各テレビチャンネルで現在およびスケジュールされている番組を一覧するためにコンテンツプロバイダ１８から提供されるアプリケーションである。実施形態において、携帯通信装置に対するＥＰＧの転送は短距離伝送、例えばユーザが自宅に到着した際のブルートゥースによるデータ同期により達成される。しかしながら、本発明の範囲内において、ＥＰＧは携帯通信装置の任意の適切な通信メディアを介して送信され得ると認められる。一般的には、ユーザが自宅にいる際ユーザが表示可能なように、コンテンツプロバイダ１８がＥＰＧをコンテンツ記録装置１４に送信する。ＥＰＧを携帯通信装置１２に送信することによって、ユーザは彼／彼女の携帯通信装置によって、遠隔で閲覧および／または番組選択をすることが出来、最終的にはコンテンツ記録装置に送信される。
【００５５】
機能ブロック１０５では、コンテンツ記録装置は、コンテンツ選択コマンドを受信する。コンテンツ選択コマンドはさまざまな方法で提供され、従来の手段と同様に携帯通信装置上のＥＰＧを閲覧し番組選択をするユーザ（例えばユーザが自宅にいる際の番組選択）を含むがこれらに限定されない。
【００５６】
コンテンツ記録装置は、コンテンツ選択コマンドを受信したあと、所望の番組、または、他のコンテンツは従来の方法で機能ブロック１１０により記録される。上述の通り、この種のコンテンツ記録は、適切なコンテンツ信号を受信し、番組を適切なフォーマット（例えばＭＰＥＧフォーマット）に符号化し格納することを含む。
【００５７】
本発明の好適な実施形態に従って、機能ブロック１１５および１２０では、記録されたコンテンツが、携帯通信装置１２上での後の表示および再生のため、コンテンツ記録装置１４から携帯通信装置１２に転送され得る。機能ブロック１１５では、記録されたコンテンツが、コンテンツ記録装置に格納されるフォーマット（例えばＭＰＥＧフォーマット）から携帯通信装置のビデオ再生でサポートするフォーマットにトランスコードされ、エンコードされる。１つの例示的実施形態において、番組データは、ＭＰＥＧフォーマットからＨ．２６４フォーマットにトランスコードされ得る。トランスコードするステップ１１５において、コンテンツ記録装置においても携帯通信装置においても特定のフォーマット型での格納に限定されることは無い。
【００５８】
一旦、記録されたコンテンツが機能ブロック１１５でトランスコードされると、トランスコードされたコンテンツは機能ブロック１２０で携帯通信装置へ転送される。上述の通り、この転送は、いかなる適切な通信メディアも用いて行われ得る。例えば、転送は、短距離のＲＦ無線転送、例えばブルートゥース、他の任意の無線伝送、有線伝送（例えば、コンテンツ記録装置に接続しているクレイドルまたは他のドッキング・ステーションに配置される携帯通信装置）を介して行われ得る。１つの実施形態において、コンテンツ記録装置１４は、適切なＤＲＭ法に適合したセキュリティ対策を提供するデジタル権利管理（ＤＲＭ）モジュール２７（チェックイン／チェックアウトプログラムとも称される）を含む。例えば、同時表示に利用できる所与の番組の多重コピーを回避するために、チェックイン／チェックアウト機能によって、所与の番組はコンテンツ記録装置から”チェックアウトされ”、ユーザがコンテンツ記録装置から離れている間（例えば、家から離れている間）のユーザによる番組表示のための携帯通信装置に”チェックインされ”るであろう。この機能によりユーザは彼／彼女の余暇（例えば、電車通勤の間またはその日の他の”ダウン時間”の間）で所望の番組を見ることが出来る。ある応用に従えば、ユーザは、携帯通信装置で番組の一部を見て番組を”チェックアウト”し、宅内で残りの部分を見るために番組を”チェックイン”することが出来る。
【００５９】
機能ブロック１２５では、一旦ユーザが携帯通信装置上での所望の番組を見終わると、ユーザは、コンテンツ記録装置にコンテンツ１２５を返信し得る。これは、前回チェックアウトされた番組をチェックインするように考えることが出来る。この段階では、所望の番組は、ユーザの嗜好に従って、コンテンツ記録装置内で格納されたままであり得、あるいは、削除され得る。
【００６０】
ここで図５を参照し、コンテンツ記録装置１４と携帯通信装置１２との間のデータ交換の方法を含む携帯通信装置１２の関連動作を、携帯通信装置１２の観点から述べる。機能ブロック１３０では、ＥＰＧは、コンテンツ記録装置から携帯通信装置により受信される。上述の通り、本発明の範囲内において、ＥＰＧは任意の適切な通信メディアを介して送信され得る。一旦、ＥＰＧが携帯通信装置により受信されると、コンテンツ記録装置（ＣＲＤ）アプリケーションプログラムがＥＰＧを処理し、それにより、ユーザはコンテンツ記録装置から離れている間も番組オプションを見たり番組選択を行なうことができる。
【００６１】
機能ブロック１３５では、一旦ユーザの携帯通信装置上でＥＰＧを介してユーザが１つ以上の番組選択を行なうと、機能ブロック１３５においてコンテンツ選択コマンドがコンテンツ記録装置に送信され得る。上述の通り、コンテンツ選択コマンドの送信は任意の適切な通信媒体およびコンテンツ記録装置と携帯通信装置との間の任意の適切な通信インタフェースを用いて実行され得る。一実施形態において、ユーザは、家にいる間彼／彼女の携帯通信装置上のＥＰＧを見ることができ、その後、従来のリモート・コントロール装置によって番組選択をすることが出来る。本実施形態において、ＥＰＧがダウンロードされている携帯通信装置は、家庭内（in-house）のリモート・コントローラとして振舞う。１つの実施形態において、上の階にいる両親が、下の階のテレビで子供たちが何を見るかを制御してもよい。
【００６２】
機能ブロック１４０では、携帯通信装置は、コンテンツ記録装置から前もって記録されたコンテンツ（例えばビデオ番組）を受信する。上述の通り、前もって記録されたコンテンツを受信する前に、コンテンツ記録装置は、ビデオ番組データを携帯通信装置での格納、表示または再生に適したフォーマットにトランスコードまたは他の変換を行なう。機能ブロック１４５では、ユーザは、彼／彼女の携帯通信装置でコンテンツを表示あるいは再生し得る。また、ユーザは、記録された番組を見るために家に拘束されることなく、前もって記録された番組を持ち歩くことが出来る。
【００６３】
機能ブロック１５０では、彼／彼女が自身の携帯通信装置上のコンテンツを見終わった際に、ユーザはコンテンツ記録装置にコンテンツを返信し得る。上述の通り、これは、コンテンツ記録装置のチェックイン／チェックアウト機能を使用することにより実現される。
【００６４】
上述の通り、コンテンツ記録装置および携帯通信装置の機能は、ユーザは、彼／彼女がどこに行こうとも彼／彼女自身とともに持ち運べるコンテンツ記録装置のための単一のインタフェースをユーザに提供することが出来る。
【００６５】
ここで図６を参照すると、本発明の代替の実施形態が実現されうる通信システム１０が示されている。本実施形態において、携帯通信装置１２は、コンテンツプロバイダ１８に適切なコマンド信号を提供することによって、コンテンツ記録装置１４に記録されている番組を遠隔制御あるいは選択することができる。
【００６６】
図示された通信システム１０は、携帯電話、移動端末などのような複数の携帯通信装置１２の間での音声通信および／またはデータ転送などの通信を容易にするモバイルセルラ電話ネットワークなどのモバイルネットワーク１７を含む。通信システム１０は、その一部が本発明の態様に従って携帯通信装置に使用またはアクセスされるネットワークインフラ１９を含む。携帯通信装置１２は、高度移動電話サービス（ＡＭＰＳ）、デジタル高度移動電話サービス（Ｄ−ＡＭＰＳ）、グローバル移動通信システム（ＧＳＭ）、符号分割多元接続（ＣＤＭＡ）等を含むがこれらに限定されない任意の適切な通信標準に従う他のモバイル機器および／またはネットワークインフラと相互作用するかもしれない。換言すれば、通信システムは、本発明の例示的実施形態の態様を示す図６に示され、本発明を特定の通信システムデザイン、アーキテクチャ通信標準に限定することは無い。
【００６７】
ネットワークインフラ１９は、一般に参照番号２１により示される１つ以上のアプリケーションサーバ、および、例えばアプリケーションサーバ２１によってアクセス可能あるいは使用可能なデータを格納する記憶装置２３を含む。アプリケーションサーバの少なくとも１つはコンテンツ記録サーバ２５である。コンテンツ記録サーバ２５を含むアプリケーションサーバ２１は、通信システムにおける種々の機能を提供するコンピュータサーバである。以下に更に詳するように、コンテンツ記録サーバ２５は、本発明の態様に従った携帯通信装置を使用するコンテンツ記録装置を遠隔制御する方法を実現する携帯通信装置１２および／またはコンテンツ記録装置１４にとって有用な情報を提供するよう動作可能である。
【００６８】
本実施形態において、携帯通信装置により、ユーザは、コンテンツのスケジュール表示および記録されることになる所望の番組の選択のためのＥＰＧにアクセスすることが出来る。ＥＰＧは、携帯通信装置にダウンロードされメモリに格納され得る。本発明の本態様は、携帯通信装置へＥＰＧをダウンロードする特定の方法に限定されることはない。一旦、１つ以上の番組が記録のために選択されると、直接モバイルネットワーク１７を介してあるいはネットワークインフラ１９内のコンテンツ記録サーバ２５を介して、携帯通信装置はコンテンツプロバイダと通信する。このようにして、携帯通信装置１２は、コンテンツプロバイダにコンテンツ選択制御信号を提供する。
【００６９】
携帯通信装置１２からのコンテンツ選択制御信号を受信すると、コンテンツプロバイダ１８は（コンテンツ記録装置と通信のために適当な従来の手段を用いて）コンテンツ記録装置１４と通信し、ユーザに選択された番組を記録するようにコンテンツに記録装置に対し命令する。
【００７０】
本発明の別の態様に従うと、所望の番組の記録に対して、コンテンツ記録装置１４は、記録した番組をトランスコードし携帯通信装置にモバイルネットワークを介して直接的にあるいは携帯通信装置によってアクセスされるコンテンツ記録サーバ２５転送される記録番組により間接的に送信する。本実施形態において、ユーザは、モバイルサービスが利用可能な任意の場所で彼／彼女の記録された番組にアクセスするだろう。
【００７１】
当業者が理解するように、本発明のコンピュータプログラム要素および／または回路要素は、ハードウェアおよび／またはソフトウェア（ファームウェア、常駐ソフトウェア、マイクロコード、その他を含む）で表現され得る。本発明はコンピュータプログラム製品という形をとることができ、命令の実行システムに使用されるか関連した媒体に表現されるコンピュータ使用可能またはコンピュータ可読のプログラム命令”コード”または”コンピュータプログラム”を有する、コンピュータ使用可能またはコンピュータ可読の記憶媒体により実施され得る。この明細書の文脈において、コンピュータ使用可能またはコンピュータ可読の媒体は、命令の実行システム、装置またはデバイスに使用されるか関連したプログラムを含む、格納する、通信する、伝播する、輸送する任意の媒体でありうる。コンピュータ使用可能またはコンピュータ可読の媒体は、電気的、磁気的、光学的、電磁気的、赤外線あるいは半導体システム、装置、デバイス、または、インターネットのような伝播媒体であり得るがそれらに限定されない。なお、コンピュータ使用可能またはコンピュータ可読の媒体は、プログラムが印刷された紙または別の適切な媒体でもよく、当該プログラムは紙または他の媒体の光学走査によって電子的にキャプチャされ、コンパイルされ、解釈され、あるいは適当な方法で処理される。本願明細書において、コンピュータプログラム製品および任意のソフトウェアおよびハードウェアは、例示の実施形態の本発明の機能を実現する様々な手段を形成する。
【００７２】
本願明細書において、本発明の特定実施形態が開示される。当業者は、本発明が他の環境の他の応用例を有することを直ちに認識するであろう。事実、多くの実施形態および実装例があり得る。添付の請求項は、本発明の範囲を上述した特定実施例に制限することを決して意図するものではない。さらに、”〜のための手段”の列挙は要素および請求項における手段＋機能（means plus function）解釈の喚起を意図し、一方で、”〜のための手段”を列挙しない任意の要素は請求項が用語”手段”を含む場合であっても手段＋機能解釈の喚起を意図しない。
【００７３】
本発明を特定の好適な実施形態または他の実施形態について説明したが、本明細書および添付の図面を読み理解する他の当業者による等価な代替および変更が起こりうることは明白である。上記した要素（構成要素、アセンブリ、デバイス、組成物、その他）により実行されるさまざまな機能に対する特定の考慮において、そのような要素の記述に使用されている用語（”手段”への参照を含む）は、本願明細書において本発明の例示的な実施形態に説明されている機能を実行する開示された構造と構造的に等価でない場合も、特に明記しない限り、記載されている要素の特定の機能を実行する（すなわち、機能的に等価である）任意の要素を意図している。さらに、本発明の特定の特徴について１以上のいくつかの実施形態についてのみ上述したが、この種の特徴は、いかなる所与または特定のアプリケーションに対して望まれかつ有利な他の実施形態の１以上の他の特徴と結合され得る。
【図面の簡単な説明】
【００７４】
【図１】本発明の態様が実現される携帯通信装置とコンテンツ記録装置とを含む通信システムの略図である。
【図２】本発明に係るコンテンツ記録装置の略図である。
【図３】本発明に係る携帯通信装置の略図である。
【図４】本発明の態様に係るコンテンツ記録装置の関連動作を表すフローチャートである。
【図５】本発明の態様に係る携帯通信装置の関連動作を表すフローチャートである。
【図６】代替実施形態に係る本発明の態様が実現される携帯通信装置とコンテンツ記録装置とを含む通信システム
【図１】
2009522924.tif 000003
【図２】
2009522924.tif 000004
【図３】
2009522924.tif 000005
【図４】
2009522924.tif 000006
【図５】
2009522924.tif 000007
【図６】
2009522924.tif 000008
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
コンテンツ記録装置（１４）であって、
コンテンツプロバイダ（１８）からコンテンツ番組信号を受信するチューナ（２２）と、
前記コンテンツ番組信号を第１のデータフォーマットに符号化するエンコーダ（２４）と、
前記符号化されたコンテンツ番組データを格納する記憶装置（２６）と、
前記符号化されたコンテンツ番組データを、携帯通信装置（１２）への転送と格納、および映像再生に適した第２のフォーマットに変換可能なトランスコーダ回路（３２）と、
コンテンツ番組全体の変換されたコンテンツ番組データ表現を、携帯通信装置での後ほどの再生のために該携帯通信装置に無線送信するよう構成された無線通信インタフェースと、
を含むことを特徴とするコンテンツ記録装置（１４）。
【請求項２】
前記コンテンツ番組データのコピーが前記コンテンツ記録装置（１４）と前記携帯通信装置（１２）とに同時に格納されることを防止するよう動作可能なデバイス（２７）をさらに含むことを特徴とする請求項１に記載のコンテンツ記録装置（１４）。
【請求項３】
前記無線通信インタフェース（１６）は、移動ネットワークを介して移動電話と通信可能な移動通信グローバルシステム（ＧＳＭ）インタフェースであることを特徴とする請求項１または２に記載のコンテンツ記録装置（１４）。
【請求項４】
前記無線通信インタフェース（１６）は、短距離無線周波数通信インタフェース（８０）またはブルートゥース通信インタフェースであることを特徴とする請求項１または２に記載のコンテンツ記録装置。
【請求項５】
前記コンテンツ記録装置（１４）はパーソナルビデオレコーダ（ＰＶＲ）であり、前記携帯通信装置（１２）は携帯電話であることを特徴とする請求項１乃至４の何れか一項に記載のコンテンツ記録装置（１４）。
【請求項６】
コンピュータ可読記録媒体（５２）に格納されたプログラム（５８）であって、前記プログラム（５８）は携帯通信装置（１２）での使用に適しており、前記プログラム（５８）は前記携帯通信装置（１２）のメモリ（５２）にロードされ実行されることにより、前記携帯通信装置（１２）に、
前記携帯通信装置（１２）での再生のためにコンテンツ記録装置（１４）から番組コンテンツデータを受信（１４０）させ、
前記番組コンテンツデータを前記コンテンツ記録装置（１４）へ返送（１５０）させる
ことを特徴とするプログラム（５８）。
【請求項７】
前記プログラム（５８）は、前記携帯通信装置（１２）に、
電子番組ガイド（ＥＰＧ）を受信させ、
前記ＥＰＧを表示させ、
前記コンテンツ記録装置にコンテンツ選択コマンドを無線送信させ、該コンテンツ選択コマンドは前記コンテンツ記録装置に選択されたコンテンツ番組の記録を指示するものである
ことを特徴とする請求項６に記載のプログラム（５８）。
【請求項８】
携帯通信装置（１２）であって、
メモリ（５２）と、前記メモリ（５２）に格納された請求項６または７に記載のアプリケーションプログラム（５８）を実行するプロセッサ（５０）と、を含み、前記アプリケーションプログラム（５８）は、前記携帯通信装置（１２）が該携帯通信装置（１２）のディスプレイ（６２）に番組コンテンツデータを表示（１４５）させ、前記番組コンテンツデータを前記コンテンツ記録装置（１４）へ返送（１５０）させる
ことを特徴とする携帯通信装置（１２）。
【請求項９】
コンテンツ記録装置（１４）に記録された番組を遠隔で見る方法であって、
記録された番組の番組データ表現を携帯通信装置（１２）への転送および映像再生に適したデータフォーマットに変換（１１５）するステップと、
無線通信インタフェースを介して、視聴のための携帯通信装置（１２）に変換された番組を転送（１２０）するステップと、
視聴の後、前記携帯通信装置から前記コンテンツ記録装置に前記変換された番組を返信するステップと、
を含む方法。
【国際調査報告】
2009522924.tif 000009
2009522924.tif 000010